【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
セメント出発材料及び粒子状修復剤を混合してセメント系材料を用意するステップを含む、セメント系材料の作製方法であって、前記修復剤が被覆粒子を含み、前記被覆粒子が細菌材料及び添加剤を含み、前記細菌材料が、細菌、凍結乾燥細菌及び細菌胞子からなる群から選択される方法。
【請求項２】
細菌が、好気性細菌からなる群から選択される、請求項１に記載の方法。
【請求項３】
好気性細菌が、プラノコッカス、バチルス及びスポロサルシナからなる属の群から選択される、請求項２に記載の方法。
【請求項４】
細菌が、嫌気性細菌からなる群から選択される、請求項１に記載の方法。
【請求項５】
細菌が、アルカリ性培地においてリン酸塩又は炭酸塩沈殿物を生成できる細菌からなる群から選択される、請求項１〜４のいずれかに記載の方法。
【請求項６】
添加剤が、カルシウム化合物を含む、請求項１〜５のいずれかに記載の方法。
【請求項７】
カルシウム化合物が、ギ酸カルシウム、酢酸カルシウム、乳酸カルシウム及びグルコン酸カルシウムからなる群から選択される１又は２以上の化合物を含む、請求項６に記載の方法。
【請求項８】
添加剤が、有機化合物及びリン化合物からなる群から選択される１又は２以上の化合物を含む、請求項１〜７のいずれかに記載の方法。
【請求項９】
添加剤が、酵母エキス、ペプトン、炭水化物、脂肪酸、アミノ酸、乳酸塩、グルタミン酸塩、アスパラギン酸塩、マレイン酸塩、ギ酸塩、ピルビン酸塩、糖及びフィチン酸塩からなる群から選択される１又は２以上の化合物を含む、請求項１〜８のいずれかに記載の方法。
【請求項１０】
添加剤が、微量元素、特にＺｎ、Ｃｏ、Ｃｕ、Ｆｅ、Ｍｎ、Ｎｉ、Ｂ、Ｐ及びＭｏを含む群から選択される微量元素を含む、請求項１〜９のいずれかに記載の方法。
【請求項１１】
添加剤が、（１）ギ酸カルシウム、酢酸カルシウム、乳酸カルシウム、グルコン酸カルシウム、炭水化物、脂肪酸、アミノ酸、乳酸塩、マレイン酸塩、ギ酸塩、糖、ピルビン酸塩及びフィチン酸塩からなる群から選択される１又は２以上の化合物と、（２）酵母エキス、ペプトン、アスパラギン酸塩、グルタミン酸塩及び微量元素からなる群から選択される細菌増殖因子とを含む、請求項１〜１０のいずれかに記載の方法。
【請求項１２】
添加剤が、（ａ）カルシウム化合物と、（ｂ）有機化合物及びリン化合物のうち１又は２以上と、（ｃ）微量元素と、（ｄ）酵母エキス、ペプトン、アスパラギン酸塩及びグルタミン酸塩のうち１又は２以上とを含む、請求項１〜１１のいずれかに記載の方法。
【請求項１３】
粒子状修復剤の細菌材料：添加剤の重量比が、１：１０，０００〜１：１，０００，０００の範囲である、請求項１〜１２のいずれかに記載の方法。
【請求項１４】
被覆粒子が、被覆粒子の総重量に対して少なくとも５０ｗｔ％の細菌材料及び添加剤を含む、請求項１〜１３のいずれかに記載の方法。
【請求項１５】
被覆粒子が、被覆粒子の総重量に対して少なくとも７５ｗｔ％の細菌材料及び添加剤を含む、請求項１４に記載の方法。
【請求項１６】
被覆粒子が、０．２〜４ｍｍの範囲の平均寸法を有する、請求項１〜１５のいずれかに記載の方法。
【請求項１７】
被覆粒子が、５μｍ〜２ｍｍの範囲の被覆厚を有する、請求項１〜１６のいずれかに記載の方法。
【請求項１８】
被覆が、グリコリド、ラクチド、ε−カプロラクトン、δ−バレロラクトン、Ｎ−ビニルカプロラクタム、３，６−ジメチル−１，４−ジオキサン−２，５−ジオン、メタクリル酸グリコシルオキシエチル、１，６−ビス（ｐ−アセトキシカルボニルフェノキシ）ヘキサン及び（３Ｓ）−ｃｉｓ−３，６−ジメチル−１，４−ジオキサン−２，５−ジオンを含む群から選択される１又は２以上のモノマー型に基づく（コ）ポリマーベースの被覆を含む、請求項１〜１７のいずれかに記載の方法。
【請求項１９】
被覆が、エポキシベースの（コ）ポリマーを含む、請求項１〜１８のいずれかに記載の方法。
【請求項２０】
被覆粒子が、細菌材料、添加剤及び任意選択で第二の添加剤の混合物の錠剤への加工並びに前記錠剤の被覆によって得られる、請求項１〜１９のいずれかに記載の方法。
【請求項２１】
被覆粒子の被覆が、噴霧乾燥、粒子化、流動床コーティング、ｖ型混合機によるブレンディング、ホットブレンディング、球状化処理及び錠剤コーティングからなる群から選択される１又は２以上の被覆方法によって得られる、請求項２０に記載の方法。
【請求項２２】
任意選択の第二の添加剤が、ペレット化剤である、請求項２０又は２１に記載の方法。
【請求項２３】
被覆粒子が、モース硬度計による３〜９の範囲の平均粒子硬度を有する、請求項１〜２２のいずれかに記載の方法。
【請求項２４】
セメント出発材料と粒子状修復剤の重量比が、２，０００：１〜２０：１（含水）の範囲である、請求項１〜２３のいずれかに記載の方法。
【請求項２５】
セメント出発材料と粒子状修復剤の重量比が、５００：１〜５０：１（含水）の範囲である、請求項２４に記載の方法。
【請求項２６】
セメント出発材料と細菌の重量比が、１．１０６：１〜１．１０８：１の範囲である、請求項１〜２５のいずれかに記載の方法。
【請求項２７】
セメント出発材料と細菌の重量比が、２５．１０６：１〜２５．１０７：１の範囲である、請求項２６に記載の方法。
【請求項２８】
請求項１〜２７のいずれかに記載の方法によって得られるセメント系材料。
【請求項２９】
修復剤が被覆粒子を含み、前記粒子が細菌材料及び添加剤を含み、前記細菌材料が、細菌、凍結乾燥細菌及び細菌胞子からなる群から選択され、前記細菌が、プラノコッカス、バチルス及びスポロサルシナからなる属の群から選択され、前記添加剤が、（１）ギ酸カルシウム、酢酸カルシウム、乳酸カルシウム、グルコン酸カルシウム、炭水化物、脂肪酸、アミノ酸、乳酸塩、マレイン酸塩、ギ酸塩、糖、ピルビン酸塩及びフィチン酸塩からなる群から選択される１又は２以上の化合物並びに（２）酵母エキス、ペプトン、アスパラギン酸塩、グルタミン酸塩及び微量元素からなる群から選択される細菌増殖因子を含む、セメント系材料のための粒子状修復剤。
【請求項３０】
細菌材料、添加剤及び任意選択で第二の添加剤の混合物を錠剤へと加工するステップと、前記錠剤を被覆するステップとを含む、粒子状修復剤の作製方法であって、細菌が、プラノコッカス、バチルス及びスポロサルシナからなる属の群から選択され、前記添加剤が、（１）ギ酸カルシウム、酢酸カルシウム、乳酸カルシウム、グルコン酸カルシウム、炭水化物、脂肪酸、アミノ酸、乳酸塩、マレイン酸塩、ギ酸塩、糖、ピルビン酸塩及びフィチン酸塩からなる群から選択される１又は２以上の化合物並びに（２）酵母エキス、ペプトン、アスパラギン酸塩、グルタミン酸塩及び微量元素からなる群から選択される細菌増殖因子を含む方法。
【請求項３１】
添加剤が、（ａ）カルシウム化合物と、（ｂ）有機化合物及びリン化合物のうち１又は２以上と、（ｃ）微量元素と、（ｄ）酵母エキス、ペプトン、アスパラギン酸塩及びグルタミン酸塩のうち１又は２以上とを含む、請求項３０に記載の方法。
【請求項３２】
噴霧乾燥、粒子化、流動床コーティング、ｖ型混合機によるブレンディング、ホットブレンディング、球状化処理及び錠剤コーティングからなる群から選択される１又は２以上の被覆方法により錠剤を被覆するステップを含む、請求項３０又は３１に記載の方法。
【請求項３３】
任意選択の第二の添加剤が、ペレット化剤である、請求項３０〜３２のいずれかに記載の方法。
【請求項３４】
請求項１〜２７のいずれかに従って得られるセメント系材料を用意するステップと、前記セメント系材料からセメント系ベースの建築物を建築するステップとを含む、セメント系ベースの建築物の作製方法。
【請求項３５】
セメント出発材料が、ポルトランドセメントを含む、請求項３４に記載の方法。
【請求項３６】
セメント系材料が、コンクリートを含む、請求項３４又は３５に記載の方法。
【請求項３７】
請求項３４〜３６のいずれかに記載の方法によって得られる、硬化セメント系材料を含むセメント系ベースの建築物。
【請求項３８】
硬化セメント系材料を含むセメント系ベースの建築物であって、前記硬化セメント系材料が、細菌材料をさらに含み、前記細菌材料が、細菌、凍結乾燥細菌及び細菌胞子からなる群から選択され、硬化セメント系材料と細菌の重量比が、１．１０６：１〜１．１０８：１の範囲である建築物。
【請求項３９】
細菌が、プラノコッカス、バチルス及びスポロサルシナからなる属の群から選択される、請求項３８に記載の建築物。
【請求項４０】
硬化セメント系材料と細菌の重量比が、２５．１０６：１〜２５．１０７：１の範囲である請求項３８又は３９に記載の建築物。